(57)【要約】      （修正有）【課題】人体局部に噴射される洗浄水の洗浄強さを簡易な構成で調整できる洗浄便座装置を提供する。【解決手段】人体局部に向けて洗浄水を噴射する少なくとも１の洗浄ノズルと、洗浄水を導入する導入路と、洗浄ノズルを含む複数の出力先のそれぞれに対応して設けられ各出力先に洗浄水を導出する複数の導出路５２，５４とを有し、導入路４２から複数の導出路への洗浄水の流通状態を切り替える切替バルブと、を備える洗浄便座装置は、切替バルブ４０が、導入路から洗浄ノズルに対応する導出路に洗浄水を流すと共に他の導出路に洗浄水を流さない第１状態と、導入路から洗浄ノズルに対応する導出路および他の導出路に洗浄水を流す第２状態と、に切り替え可能に構成されている。【選択図】図７
2020084450.tif 000002
【特許請求の範囲】
【請求項１】
人体局部に向けて洗浄水を噴射する少なくとも１の洗浄ノズルと、
洗浄水を導入する導入路と、前記洗浄ノズルを含む複数の出力先のそれぞれに対応して設けられ各出力先に洗浄水を導出する複数の導出路とを有し、前記導入路から前記複数の導出路への洗浄水の流通状態を切り替える切替バルブと、
を備える洗浄便座装置であって、
前記切替バルブは、前記導入路から前記洗浄ノズルに対応する前記導出路に洗浄水を流すと共に他の導出路に洗浄水を流さない第１状態と、前記導入路から前記洗浄ノズルに対応する前記導出路および前記他の導出路に洗浄水を流す第２状態と、に切り替え可能に構成されている
洗浄便座装置。
【請求項２】
請求項１に記載の洗浄便座装置であって、
前記洗浄ノズルとして、おしり洗浄ノズルとビデ洗浄ノズルとを備え、
前記切替バルブは、前記第２状態では、前記導入路から前記おしり洗浄ノズルに対応する前記導出路に洗浄水を流すと共に前記他の導出路として前記ビデ洗浄ノズルに対応する前記導出路に洗浄水を流すように構成されている
洗浄便座装置。
【請求項３】
請求項１に記載の洗浄便座装置であって、
前記洗浄ノズルに向けて洗浄水を噴射することで該洗浄ノズルを洗浄するノズル洗浄器を備え、
前記切替バルブは、前記第２状態では、前記導入路から前記洗浄ノズルに対応する前記導出路に洗浄水を流すと共に前記他の導出路として前記ノズル洗浄器に対応する前記導出路に洗浄水を流すように構成されている
洗浄便座装置。
【請求項４】
請求項１ないし３のいずれか１項に記載の洗浄便座装置であって、
前記切替バルブは、前記導入路が設けられた第１ディスクと前記複数の導出路が設けられた第２ディスクとが同軸に相対回転するように盤面が重なり合って配設され、相対回転の回転角度に応じて前記第１状態と前記第２状態とが切り替わるディスクバルブである
洗浄便座装置。
【請求項５】
請求項１ないし４のいずれか１項に記載の洗浄便座装置であって、
洗浄水を瞬間的に加熱するヒータを有する熱交換器を備え、
前記切替バルブは、前記熱交換機内を流れた洗浄水が前記導入路に導入される
洗浄便座装置。
【発明の詳細な説明】
【技術分野】
【０００１】
本発明は、洗浄便座装置に関する。
【背景技術】
【０００２】
従来、この種の洗浄便座装置としては、人体局部に洗浄水を噴射するおしり洗浄ノズルやビデ洗浄ノズルなどの洗浄ノズルと、洗浄水の供給路に設けられ洗浄水を加熱する熱交換器と、熱交換器内を流れた洗浄水の出力先をおしり洗浄ノズルやビデ洗浄ノズルなどに切り替える切替バルブとを備えるものが提案されている。例えば、特許文献１の洗浄便座装置では、おしり洗浄ノズルへの流路やビデ洗浄ノズルへの流路にエアを供給可能なエアポンプを設け、各流路を流れる洗浄水に混入させるエア量を調整することで、洗浄強さを調整する。また、特許文献２の洗浄便座装置では、おしり洗浄ノズルに、脈動流（直進流）を噴射させる噴射口（吐水口）と、空気が混入した泡沫流を噴射させる噴射口とが設けられ、脈動流を噴射する噴射形態と泡沫流を噴射する噴射形態のいずれかに切り替えて洗浄水の流速を変化させることで、洗浄強さを調整する。
【先行技術文献】
【特許文献】
【０００３】
【特許文献１】特開２００２−２１１５５号公報
【特許文献２】特開２０１４−１２９６７２号公報
【発明の概要】
【発明が解決しようとする課題】
【０００４】
上述した特許文献１の洗浄便座装置では、エアポンプを設けるため、コスト増を招くだけでなく、装置が大型化したり、エアポンプの駆動により使用時の騒音が大きくなったりするおそれがある。また、特許文献２の洗浄便座装置では、洗浄ノズルに複数種類の噴射口を設けると共に各噴射口に洗浄水を供給する流路を設ける必要があるから、洗浄ノズルの構成が複雑となってコスト増を招いてしまう。
【０００５】
本発明は、人体局部に噴射される洗浄水の洗浄強さを簡易な構成で調整することを主目的とする。
【課題を解決するための手段】
【０００６】
本発明は、上述の主目的を達成するために以下の手段を採った。
【０００７】
本発明の洗浄便座装置は、
人体局部に向けて洗浄水を噴射する少なくとも１の洗浄ノズルと、
洗浄水を導入する導入路と、前記洗浄ノズルを含む複数の出力先のそれぞれに対応して設けられ各出力先に洗浄水を導出する複数の導出路とを有し、前記導入路から前記複数の導出路への洗浄水の流通状態を切り替える切替バルブと、
を備える洗浄便座装置であって、
前記切替バルブは、前記導入路から前記洗浄ノズルに対応する前記導出路に洗浄水を流すと共に他の導出路に洗浄水を流さない第１状態と、前記導入路から前記洗浄ノズルに対応する前記導出路および前記他の導出路に洗浄水を流す第２状態と、に切り替え可能に構成されている
ことを要旨とする。
【０００８】
本発明の洗浄便座装置は、切替バルブが、導入路から洗浄ノズルに対応する導出路に洗浄水を流すと共に他の導出路に洗浄水を流さない第１状態と、導入路から洗浄ノズルに対応する導出路および他の導出路に洗浄水を流す第２状態と、に切り替え可能に構成されている。このため、第１状態では、導入路に導入された洗浄水を最大限に利用して洗浄ノズルから噴射させるから洗浄強さを比較的強くすることができ、第２状態では、導入路に導入された洗浄水の一部を他の導出路に流しつつ残りを洗浄ノズルから噴射させるから洗浄強さを比較的弱くすることができる。即ち、洗浄水の出力先の選択だけでなく、洗浄強さの調整を切替バルブによって行うことができる。このため、洗浄強さを調整するために、ポンプを設けたり、洗浄ノズルに噴射形態の異なる複数種類の噴射口などを設けたりする必要がないから、コスト増を抑えた簡易な構成で洗浄強さを調整することができる。また、ポンプを設けることによる装置の大型化や騒音を抑制することができる。
【０００９】
本発明の洗浄便座装置において、前記洗浄ノズルとして、おしり洗浄ノズルとビデ洗浄ノズルとを備え、前記切替バルブは、前記第２状態では、前記導入路から前記おしり洗浄ノズルに対応する前記導出路に洗浄水を流すと共に前記他の導出路として前記ビデ洗浄ノズルに対応する前記導出路に洗浄水を流すように構成されているものとすることもできる。こうすれば、おしり洗浄ノズルとビデ洗浄ノズルとを備える洗浄便座装置において、簡易な構成でおしり洗浄の洗浄強さを調整することができる。
【００１０】
本発明の洗浄便座装置において、前記洗浄ノズルに向けて洗浄水を噴射することで該洗浄ノズルを洗浄するノズル洗浄器を備え、前記切替バルブは、前記第２状態では、前記導入路から前記洗浄ノズルに対応する前記導出路に洗浄水を流すと共に前記他の導出路として前記ノズル洗浄器に対応する前記導出路に洗浄水を流すように構成されているものとすることもできる。こうすれば、洗浄ノズルから噴射させる洗浄水の洗浄強さを弱くするために、他の導出路に流す洗浄水で洗浄ノズルを洗浄することができるから、他の導出路に流す洗浄水を有効活用することができる。
【００１１】
本発明の洗浄便座装置において、前記切替バルブは、前記導入路が設けられた第１ディスクと前記複数の導出路が設けられた第２ディスクとが同軸に相対回転するように盤面が重なり合って配設され、相対回転の回転角度に応じて前記第１状態と前記第２状態とが切り替わるディスクバルブであるものとすることもできる。こうすれば、第１ディスクと第２ディスクの相対回転の回転角度を変化させることで洗浄強さを調整することができるから、洗浄強さの調整をより簡易な構成で実現することができる。
【００１２】
本発明の洗浄便座装置において、洗浄水を瞬間的に加熱するヒータを有する熱交換器を備え、前記切替バルブは、前記熱交換機内を流れた洗浄水が前記導入路に導入されるものとすることもできる。ここで、洗浄水を瞬間的に加熱するヒータでは、流れる洗浄水の流量が少な過ぎると洗浄水が過熱状態となる場合がある。本発明では、一定量の洗浄水を熱交換機内に流しつつ切替バルブの状態を切り替えることで洗浄強さを調整することができるから、洗浄水の過熱を防止しつつ洗浄強さを適切に調整することができる。
【図面の簡単な説明】
【００１３】
【図１】洗浄便座装置１０の外観斜視図である。
【図２】洗浄便座装置１０の構成の概略を示す構成図である。
【図３】ディスクバルブ４０の流路切替用の部材を示す説明図である。
【図４】可動ディスク４１の正面図である。
【図５】固定ディスク５１の正面図である。
【図６】おしり洗浄時のディスクバルブ４０の作動の様子を示す説明図である。
【図７】おしり洗浄時のディスクバルブ４０の作動の様子を示す説明図である。
【図８】おしり洗浄時の洗浄水の洗浄強さと流量の関係を示す説明図である。
【図９】変形例のディスクバルブ１４０の作動の様子を示す説明図である。
【図１０】変形例のディスクバルブ１４０の作動の様子を示す説明図である。
【発明を実施するための形態】
【００１４】
次に、本発明を実施するための形態について説明する。
【００１５】
図１は、洗浄便座装置１０の外観斜視図であり、図２は、洗浄便座装置１０の構成の概略を示す構成図である。洗浄便座装置１０は、図１に示すように、便器１の上面に取り付けられ、便座装置本体１２と、便座装置本体１２に対して開閉可能に支持された便座１４と、便座装置本体１２に対して開閉可能に支持された便蓋１６と、使用者による各種操作が可能な操作パネル１８とを備える。
【００１６】
便座装置本体１２は、図２に示すように、洗浄水を供給する給水路２０と、供給された洗浄水を人体局部に噴射するためのノズルユニット３０と、装置全体を制御する制御装置３８とを備える。給水路２０には、開閉弁としての給水バルブ２２と、給水バルブ２２を通過した洗浄水を加熱するヒータ２４ａを内蔵する熱交換ユニット２４とが設けられている。熱交換ユニット２４は、例えばセラミックヒータなどにより洗浄水を瞬間的に加熱するものであり、例えば１５００Ｗの定格出力を有する。なお、給水路２０には、この他に、洗浄水の流量を検出する流量センサや熱交換ユニット２４により加熱された洗浄水の温度を検出する温度センサなどが設けられる。
【００１７】
ノズルユニット３０は、おしり洗浄ノズル３２と、ビデ洗浄ノズル３４と、ノズル洗浄器３６と、ディスクバルブ４０とを備える。おしり洗浄ノズル３２およびビデ洗浄ノズル３４は、それぞれ図示しない駆動装置により洗浄位置と待機位置との間を進退移動し、洗浄位置で人体局部に向けて洗浄水を噴射する。ノズル洗浄器３６は、おしり洗浄ノズル３２およびビデ洗浄ノズル３４の上方に設けられ、待機位置にあるおしり洗浄ノズル３２の先端側および待機位置にあるビデ洗浄ノズル３４の先端側に洗浄水を噴射する。ディスクバルブ４０は、バルブボディ４０ａと、駆動部４０ｂとを備える流路切替弁として構成されている。バルブボディ４０ａは、給水路２０と、おしり洗浄ノズル３２への流路であるおしり洗浄用流路３３と、ビデ洗浄ノズル３４への流路であるビデ洗浄用流路３５と、ノズル洗浄器３６への流路であるノズル洗浄用流路３７とに接続されており、給水路２０の洗浄水の出力先を、おしり洗浄用流路３３とビデ洗浄用流路３５とノズル洗浄用流路３７とに切替可能である。駆動部４０ｂは、バルブボディ４０ａ内に配置された流路切替用の可動部材（後述する可動ディスク４１）を駆動するモータなどを備える。
【００１８】
操作パネル１８には、おしり洗浄を指示するおしり洗浄スイッチ１８ａ、ビデ洗浄を指示するビデ洗浄スイッチ１８ｂ、洗浄の停止を指示する停止スイッチ１８ｃ、洗浄水の温度を調整する温度調整スイッチ１８ｄ、洗浄水の洗浄強さ（勢い）を調整する水勢調整スイッチ１８ｅなどが設けられている。
【００１９】
制御装置３８は、使用者が操作パネル１８を介して入力した操作信号が入力される他、給水路２０の流量センサや温度センサからの検出信号などが入力される。また、制御装置３８は、入力された信号に基づいて、給水バルブ２２や熱交換ユニット２４のヒータ２４ａ、ディスクバルブ４０の駆動部４０ｂなどに制御信号を出力する他、おしり洗浄ノズル３２やビデ洗浄ノズル３４の各駆動装置に制御信号を出力する。なお、制御装置３８は、温度調整スイッチ１８ｄの調整値に応じた温度の洗浄水が噴射されるように、流量センサや温度センサからの検出信号に基づいてヒータ２４ａに制御信号を出力する。
【００２０】
以下、ディスクバルブ４０の詳細を説明する。図３は、ディスクバルブ４０の流路切替用の部材を示す説明図であり、図４は、可動ディスク４１の正面図であり、図５は、固定ディスク５１の正面図である。なお、図３では、バルブボディ４０ａやシール部材などの図示は省略した。ディスクバルブ４０は、図３に示すように、流路切替用の部材として、可動ディスク４１（点線）と、固定ディスク５１（実線）とを備え、これらが同軸に相対回転するように盤面が重なり合った状態で、バルブボディ４０ａ内に配設されている。
【００２１】
可動ディスク４１は、外周の一部に開口し径方向に延びるように切り欠かれた洗浄水の導入路４２と、外周に開口することなく導入路４２から離間した位置に径方向に延びるようにスリット状に形成された第１連絡流路４４とが設けられている。図示は省略するが、可動ディスク４１は、駆動部４０ｂが備えるモータの出力軸に接続されており、モータの駆動により中心軸回りに回転する。なお、第１連絡流路４４は、固定ディスク５１と重なり合う側の盤面に凹溝状に形成されていてもよい。可動ディスク４１は、固定ディスク５１よりも一回り小さな外径に形成されており、バルブボディ４０ａ内に収容された状態でバルブボディ４０ａの内周面との間に隙間が形成される。給水路２０からバルブボディ４０ａ内に流入した洗浄水は、その隙間を流路として流れて導入路４２に導入される。
【００２２】
固定ディスク５１は、可動ディスク４１と重なり合う側の盤面に、おしり洗浄用流路３３に洗浄水を導出するおしり洗浄用導出路５２と、ビデ洗浄用流路３５に洗浄水を導出するビデ洗浄用導出路５４と、ノズル洗浄用流路３７に洗浄水を導出するノズル洗浄用導出路５６とが同心円状に設けられている。また、固定ディスク５１は、これらの導出路よりも中心側に、半円弧状に延在し凹溝状に形成された第２連絡流路５８が設けられている。この固定ディスク５１は、バルブボディ４０ａの内周面に嵌まり込む外径に形成され、外周面の２箇所に径方向内側に窪んだ凹部５１ａが設けられている。図示は省略するが、バルブボディ４０ａには、内周面の２箇所に径方向内側に突出する凸部が設けられている。固定ディスク５１は、各凹部５１ａにバルブボディ４０ａの各凸部がそれぞれ係合することで、中心軸回りに回転不能にバルブボディ４０ａ内に固定される。
【００２３】
おしり洗浄用導出路５２は、固定ディスク５１の周方向に沿って延在する凹溝状に形成され、周方向の一端におしり洗浄用流路３３側への導出口（貫通口）５３が設けられている。なお、おしり洗浄用導出路５２は、導出口５３から径方向内側にも延在しているが、本発明の要旨をなさないから説明は省略する。おしり洗浄用導出路５２は、導出口５３から遠い方から順に、溝深さが異なる溝底面５２ａ，５２ｂ，５２ｃ，５２ｄが段差状に形成されている。各溝底面５２ａ〜５２ｄは、溝深さがこの順に深くなると共に各面内で導出口５３側に下り勾配で傾斜しており、導出口５３に最も近い溝底面５２ｄの溝深さが最も深くなっている。
【００２４】
ビデ洗浄用導出路５４は、固定ディスク５１の周方向に沿って延在する凹溝状に形成され、周方向の略中央にビデ洗浄用流路３５側への導出口（貫通口）５５が設けられている。なお、ビデ洗浄用導出路５４は、周方向において導出口５５よりも図５の下側となる一端側にも延在しているが、本発明の要旨をなさないから説明は省略する。ビデ洗浄用導出路５４は、導出口５５から遠い方から順に、溝深さが異なる溝底面５４ａ，５４ｂ，５４ｃ，５４ｄ，５４ｅが段差状に形成されている。各溝底面５４ａ〜５４ｅは、溝深さがこの順に深くなると共に各面内で導出口５５側に下り勾配で傾斜しており、導出口５５に最も近い溝底面５４ｅの溝深さが最も深くなっている。
【００２５】
ノズル洗浄用導出路５６は、固定ディスク５１の周方向に沿って延在する凹溝状に形成され、周方向の一端にノズル洗浄用流路３７側への導出口（貫通口）５７が設けられている。ノズル洗浄用導出路５６は、溝底面が導出口５７側に下り勾配で傾斜した傾斜状に形成されている。
【００２６】
こうして構成された洗浄便座装置１０では、使用者によるおしり洗浄スイッチ１８ａやビデ洗浄スイッチ１８ｂの操作によって局部洗浄（おしり洗浄やビデ洗浄）が指示されると、指示に対応する導出路（おしり洗浄用導出路５２やビデ洗浄用流路３５）に導入路４２が連通するようにディスクバルブ４０を駆動すると共に対応する洗浄ノズルを洗浄位置まで前進させ、洗浄ノズルから洗浄水を噴射させて局部洗浄を行う。なお、水勢調整スイッチ１８ｅの調整値に応じた洗浄強さの洗浄水が噴射されるように、可動ディスク４１の回転位置が定められる。また、使用者による停止スイッチ１８ｃの操作によって洗浄停止が指示されると、ディスクバルブ４０を切り替えて洗浄ノズルからの洗浄水の噴射を停止させると共に洗浄ノズルを待機位置まで後退させ、ノズル洗浄器３６から洗浄水を噴射させてノズル洗浄を行う。
【００２７】
ここで、図６，図７は、おしり洗浄時のディスクバルブ４０の作動の様子を示す説明図であり、図８は、おしり洗浄時の洗浄水の洗浄強さと流量の関係を示す説明図である。図６は洗浄強さが比較的強い場合を示し、図７は洗浄強さが比較的弱い場合を示す。洗浄強さが強い場合、図６に示すように、ディスクバルブ４０の可動ディスク４１は、導入路４２がおしり洗浄用導出路５２のみに重なる回転位置となっており、導入路４２に導入された洗浄水を、全ておしり洗浄用導出路５２に流しておしり洗浄用流路３３に導出する状態（第１状態）となる。また、導入路４２は、溝深さの比較的深い溝底面５２ｃ，５２ｄに重なるから、導入された洗浄水をスムーズにおしり洗浄用導出路５２に流すことができる。なお、ディスクバルブ４０は、第１状態で可動ディスク４１を回転させて、導入路４２が重なる溝底面５２ｂ〜５２ｄを変化させることでも洗浄強さ（強弱）を調整することができる。一方、洗浄強さが弱い場合、図７に示すように、ディスクバルブ４０の可動ディスク４１は、導入路４２がおしり洗浄用導出路５２と第２連絡流路５８とに重なると共に、第１連絡流路４４が第２連絡流路５８とビデ洗浄用導出路５４とに重なる回転位置となっている。即ち、導入路４２に導入された洗浄水の一部を、第２連絡流路５８と第１連絡流路４４とを介してビデ洗浄用導出路５４に流し、導入された洗浄水の残りを、おしり洗浄用導出路５２に流す状態（第２状態）となる。なお、ディスクバルブ４０は、図６の第１状態から可動ディスク４１を時計回りに回転することで、図７の第２状態に容易に切り替えることができる。
【００２８】
ここで、熱交換ユニット２４内の瞬間加熱式のヒータ２４ａは、タンク内に貯留している洗浄水を加熱するようなヒータに比べて高い出力を有するため、熱交換ユニット２４内を単位時間に流れる洗浄水の流量が少な過ぎると、洗浄水が過熱状態となって熱交換ユニット２４の故障などが発生する場合がある。このため、そのような過熱状態とならないような洗浄水の所定流量Ｑ０（図８参照）をヒータ２４ａの加熱能力などに基づいて定め、ヒータ２４ａの作動中は所定流量Ｑ０以上の洗浄水を熱交換ユニット２４に流すようにしている。一方で、所定流量Ｑ０が最低流量となり、おしり洗浄の最も弱い洗浄強さが所定流量Ｑ０に応じて定まるから、洗浄強さの調整（ここでは弱い側の調整）を狙い通りに行えなくなる場合がある。そこで、本実施形態では、ディスクバルブ４０を図７に示す第２状態とすることで、ディスクバルブ４０に導入される洗浄水の一部を待機位置にあるビデ洗浄ノズル３４から排出し、おしり洗浄ノズル３２から噴射される洗浄水の水量を抑えて洗浄強さを弱くするのである。これにより、所定流量Ｑ０を定めた場合でも洗浄強さを適切に調整することができる。また、図８では、実線がおしり洗浄ノズル３２の洗浄水の噴射量を示し、点線が熱交換ユニット２４の洗浄水の流通量を示す。図示するように、所定流量Ｑ０以上の流通量を確保しつつ、洗浄強さが弱い場合には図８中に斜線で示す一部の洗浄水をビデ洗浄ノズル３４から排出することで、おしり洗浄ノズル３２からの噴射量を少なくして洗浄強さを調整することができる。なお、第２状態の可動ディスク４１は、導入路４２が溝深さの比較的浅い溝底面５２ａに重なると共に第１連絡流路４４が溝深さの比較的深い溝底面５４ｅに重なる回転位置となっているから、ビデ洗浄用導出路５４に洗浄水を流し易くして、おしり洗浄の洗浄強さを調整し易くすることができる。
【００２９】
以上説明した本実施形態の洗浄便座装置１０では、ディスクバルブ４０が、導入路４２からおしり洗浄用導出路５２に洗浄水を流す第１状態と、導入路４２からおしり洗浄用導出路５２およびビデ洗浄用導出路５４に洗浄水を流す第２状態とに切り替え可能に構成されている。第１状態では、導入路４２に導入された洗浄水を最大限に利用して、おしり洗浄の洗浄強さを強くすることができ、第２状態では、導入路４２に導入された洗浄水の一部をビデ洗浄ノズル３４から排出して、おしり洗浄の洗浄強さを弱くすることができる。このため、簡易な構成で洗浄強さを調整することができる。
【００３０】
また、ディスクバルブ４０は、可動ディスク４１の回転角度に応じて第１状態と第２状態とが切り替わるから、洗浄強さの調整をより簡易な構成で実現することができる。また、洗浄便座装置１０では、洗浄水の過熱を防止するために所定流量Ｑ０以上の洗浄水を流しつつ、おしり洗浄の洗浄強さを適切に調整することができる。
【００３１】
実施形態では、おしり洗浄の洗浄強さを弱くする第２状態で導入路４２が第２連絡流路５８と第１連絡流路４４とを介してビデ洗浄用導出路５４に連通するものとしたが、これに限られるものではない。例えば、第２連絡流路５８と第１連絡流路４４とを設けずに導入路４２がビデ洗浄用導出路５４に直接連通するものとしてもよい。あるいは、導入路４２がノズル洗浄用導出路５６に連通するものとしてもよい。図９，図１０は、変形例のディスクバルブ１４０の作動の様子を示す説明図である。図９は、図６と同様に洗浄強さが強い場合を示し、可動ディスク１４１の導入路４２がおしり洗浄用導出路５２のみに連通する第１状態となっている。一方、図１０は、図７と同様に洗浄強さが弱い場合を示し、可動ディスク１４１の導入路４２がおしり洗浄用導出路５２に連通すると共に第２連絡流路１５８と第１連絡流路１４４とを介してノズル洗浄用導出路５６に連通する状態（変形例の第２状態）となっている。このため、導入路４２に導入された洗浄水は、一部がノズル洗浄用導出路５６に流れてノズル洗浄器３６から排出され、残りがおしり洗浄用導出路５２に流れておしり洗浄ノズル３２から噴射されるから、実施形態と同様におしり洗浄の洗浄強さを調整する（弱くする）ことができる。また、変形例では、ノズル洗浄器３６から洗浄水を排出（噴射）することで、洗浄位置にあるおしり洗浄ノズル３２の後端側や待機位置にあるビデ洗浄ノズル３４の先端側を洗浄するから、洗浄強さの調整のために排出される洗浄水を有効利用することができる。
【００３２】
また、導入路４２がおしり洗浄用導出路５２だけでなく、ビデ洗浄用導出路５４とノズル洗浄用導出路５６とに連通することで、ビデ洗浄ノズル３４とノズル洗浄器３６とから洗浄水を排出させるものなどとしてもよい。即ち、第２状態では、おしり洗浄ノズル３２に対応するおしり洗浄用導出路５２以外に、他の複数の導出路に洗浄水を流す状態としてもよい。あるいは、ビデ洗浄ノズル３４やノズル洗浄器３６に限られず、便器１の便鉢内に洗浄水を排出するための導出路に洗浄水を流すものなどとしてもよい。
【００３３】
実施形態では、おしり洗浄ノズル３２の洗浄強さを調整するものを例示したが、これに限られず、ビデ洗浄ノズル３４の洗浄強さを調整するものとしてもよく、導入路４２からビデ洗浄用導出路５４および他の導出路に洗浄水を流すものなどとしてもよい。また、おしり洗浄ノズルとして、比較的洗浄強さの強い洗浄水を噴射可能な第１おしり洗浄ノズル（パワフル洗浄ノズル）と、比較的洗浄強さの弱い洗浄水を噴射可能な第２おしり洗浄ノズル（マイルド洗浄ノズル）とを備え、固定ディスク５１に第１おしり洗浄用導出路と第２おしり洗浄用導出路とが設けられるものとしてもよい。そのようにする場合、例えば第２おしり洗浄ノズルの洗浄強さを調整するために、導入路４２から第２おしり洗浄用導出路および他の導出路に洗浄水を流すものなどとしてもよい。
【００３４】
実施形態では、可動ディスク４１が回転し固定ディスク５１が固定されるものとしたが、これに限られず、可動ディスク４１と固定ディスク５１とが相対回転するものであればよく、可動ディスク４１が固定され固定ディスク５１が回転するものなどとしてもよい。また、切替バルブとしてディスクバルブ４０を例示したが、これに限られるものではない。例えば、切替バルブが、筒状のバルブボディとそのバルブボディ内に挿入されるシャフト部材とにより、導入路と、おしり洗浄用導出路やビデ洗浄用導出路，ノズル洗浄用導出路などの各導出路とを形成し、シャフト部材がバルブボディ内を軸方向に摺動することで、導入路から各導出路への洗浄水の流通状態を切り替えるものなどとしてもよい。
【００３５】
実施形態では、瞬間加熱式のヒータ２４ａを有する熱交換ユニット２４からの洗浄水がディスクバルブ４０に導入されるものとしたが、これに限られず、例えば貯湯加熱式などの他のヒータで加熱された洗浄水が導入されるものとしてもよい。また、ディスクバルブ４０の出力先としては、少なくとも１の洗浄ノズルを含む複数の出力先があればよい。
【００３６】
実施形態の主要な要素と課題を解決するための手段の欄に記載した発明の主要な要素との対応関係について説明する。実施形態では、おしり洗浄ノズル３２が「１の洗浄ノズル」に相当し、導入路４２が「導入路」に相当し、おしり洗浄用導出路５２やビデ洗浄用導出路５４，ノズル洗浄用導出路５６が「導出路」に相当し、ディスクバルブ４０が「切替バルブ」に相当する。おしり洗浄ノズル３２が「おしり洗浄ノズル」に相当し、ビデ洗浄ノズル３４が「ビデ洗浄ノズル」に相当する。ノズル洗浄器３６が「ノズル洗浄器」に相当する。可動ディスク４１が「第１ディスク」に相当し、固定ディスク５１が「第２ディスク」に相当し、ディスクバルブ４０が「ディスクバルブ」に相当する。熱交換ユニット２４が「熱交換器」に相当する。
【００３７】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００３８】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００３９】
本発明は、洗浄便座装置の製造産業などに利用可能である。
【符号の説明】
【００４０】
１  便器、１０  洗浄便座装置、１２  便座装置本体、１４  便座、１６  便蓋、１８  操作パネル、１８ａ  おしり洗浄スイッチ、１８ｂ  ビデ洗浄スイッチ、１８ｃ  停止スイッチ、１８ｄ  温度調整スイッチ、１８ｅ  水勢調整スイッチ、２０  給水路、２２  給水バルブ、２４  熱交換ユニット、２４ａ  ヒータ、３０  ノズルユニット、３２  おしり洗浄ノズル、３３  おしり洗浄用流路、３４  ビデ洗浄ノズル、３５  ビデ洗浄用流路、３６  ノズル洗浄器、３７  ノズル洗浄用流路、３８  制御装置、４０，１４０  ディスクバルブ、４０ａ  バルブボディ、４０ｂ  駆動部、４１，１４１  可動ディスク、４２  導入路、４４，１４４  第１連絡流路、５１  固定ディスク、５１ａ  凹部、５２  おしり洗浄用導出路、５２ａ〜５２ｄ，５４ａ〜５４ｅ  溝底面、５３，５５，５７  導出口、５４  ビデ洗浄用導出路、５６  ノズル洗浄用導出路、５８，１５８  第２連絡流路。
【図１】
2020084450.tif 000003
【図２】
2020084450.tif 000004
【図３】
2020084450.tif 000005
【図４】
2020084450.tif 000006
【図５】
2020084450.tif 000007
【図６】
2020084450.tif 000008
【図７】
2020084450.tif 000009
【図８】
2020084450.tif 000010
【図９】
2020084450.tif 000011
【図１０】
2020084450.tif 000012